(57)【要約】      （修正有）【課題】糸が可能な限り僅かな量の冷却液によって十分に冷却可能である糸を冷却する装置の提供。【解決手段】冷却体１を備えた、加熱された糸を冷却する装置において、冷却体１は、糸を案内するために縦長の冷却溝２を有しており、冷却溝２は、冷却液を供給するために、溝底部４.１，４.２における調量開口を介して調量装置５に接続されている。余剰冷却液なしに僅かな冷却液で糸を冷却するために、冷却溝２は、波形溝を付けられた溝底部４.１を備えた複数の案内部分６.１と、平滑な溝底部４.２を備えた少なくとも１つの案内部分６.２とを有しており、複数の案内部分６.１と少なくとも１つの案内部分６.２とは、交互に相前後して形成されている。調量開口３は、波形溝を付けられた溝底部４.１を備えた案内部分６.１のうちの１つの案内部分６.１に、冷却溝の走入領域２０において前置されている。【選択図】図１
2018066105.tif 000002
【特許請求の範囲】
【請求項１】
加熱された糸を冷却する装置であって、冷却体（１）を備えていて、該冷却体（１）は、前記糸を案内するために縦長の冷却溝（２）を有しており、該冷却溝（２）は、冷却液を供給するために、溝底部（４.１，４.２）における調量開口（３）を介して調量装置（５）に接続されている、装置において、
前記冷却溝（２）は、波形溝を付けられた溝底部（４.１）を備えた複数の案内部分（６.１）と、平滑な溝底部（４.２）を備えた少なくとも１つの案内部分（６.２）とを有しており、前記複数の案内部分（６.１）と前記少なくとも１つの案内部分（６.２）とは、交互に相前後して形成されており、前記調量開口（３）は、前記波形溝を付けられた溝底部（４.１）を備えた前記案内部分（６.１）のうちの１つの案内部分（６.１）に、前記冷却溝（２）の走入領域（２０）において前置されている
ことを特徴とする、加熱された糸を冷却する装置。
【請求項２】
前記平滑な溝底部（４.２）を備えた前記案内部分（６.２）は、前記波形溝を付けられた溝底部（４.１）を備えた前記案内部分（６.１）よりも大きな溝深さ（ｔ２＞ｔ１）を有している、請求項１記載の装置。
【請求項３】
前記案内部分（６.１）の前記波形溝を付けられた溝底部（４.１）はそれぞれ、複数の凹設された溝ポケット（９）と、該溝ポケット（９）の間に位置する複数の案内ウェブ（１０）とによって形成されている、請求項１または２記載の装置。
【請求項４】
前記案内部分（６.１，６.２）はそれぞれ、１０ｍｍ〜６０ｍｍの範囲における、前記冷却溝（２）の長さ部分を有している、請求項１から３までのいずれか１項記載の装置。
【請求項５】
前記冷却溝（２）は、前記平滑な溝底部（４.２）を備えた複数の前記案内部分（６.２）を有しており、該案内部分（６.２）はそれぞれ間に、前記波形溝を付けられた溝底部（４.１）を備えた前記案内部分（６.１）のうちの少なくとも１つの案内部分（６.１）を挟んでいる、請求項１から４までのいずれか１項記載の装置。
【請求項６】
前記冷却溝（２）の前記案内部分（６.１，６.２）は、前記溝底部（４.１，４.２）が糸走行方向において３００ｍｍ〜１０００ｍｍの範囲における半径を有する案内曲率を有するように、互いに対して配置されている、請求項１から５までのいずれか１項記載の装置。
【請求項７】
前記冷却溝（２）の前記案内部分（６.１，６.２）は、前記冷却体（１）の互いに相前後して配置された複数のセグメント（１１.１〜１１.７）によって形成されており、該セグメント（１１.１〜１１.７）は支持体（１２）によって保持されている、請求項１から６までのいずれか１項記載の装置。
【請求項８】
前記波形溝を付けられた溝底部（４.１）を備えた前記案内部分（６.１）を有する、前記冷却体（１）の前記セグメント（１１.１〜１１.７）と、前記平滑な溝底部（４.２）を備えた前記案内部分（６.２）を有する、前記冷却体（１）の前記セグメント（１１.１〜１１.７）とは、互いに異なる材料から形成されている、請求項７記載の装置。
【請求項９】
前記冷却体（１）は、ハウジング（１３）の内部において糸入口（１４）と糸出口（１５）との間に配置されており、前記糸出口（１５）の領域において前記ハウジング（１３）に、吸込み開口（１７）が形成されていて、該吸込み開口（１７）は吸込み装置に接続可能である、請求項１から８までのいずれか１項記載の装置。
【請求項１０】
前記吸込み開口（１７）は、ハウジング底部（１６）において前記冷却体（１）と前記糸出口（１５）との間に形成されている、請求項９記載の装置。
【請求項１１】
前記ハウジング（１３）の前記糸入口（１４）に、入口糸ガイド（１４.１）が対応配置されていて、前記ハウジング（１３）の前記糸出口（１５）に、出口糸ガイド（１５.１）が対応配置されている、請求項９または１０記載の装置。
【発明の詳細な説明】
【技術分野】
【０００１】
本発明は、請求項１の前提部に記載された、加熱された糸を冷却する装置に関する。
【０００２】
合成糸の製造時に、溶融紡糸後に生じる平滑な糸にテクスチャリング加工プロセスにおいて巻縮加工を施すことが公知である。そのために糸においては、いわゆるテクスチャリング加工ゾーンの内部において仮撚りが生ぜしめられ、この仮撚りは、熱処理によって糸のフィラメントにおいて固定される。例えば通常、合成糸はテクスチャリング加工ゾーンにおいて最初に２００℃の範囲における温度に加熱される。このときに得られた、糸材料の塑性状態によって、個々のフィラメントにおいて撚りが加えられる（einpraegen）。この糸構造を固定するために、糸は次いで直ぐに約８０℃の温度に冷却される。糸の冷却は、好ましくは、空気冷却式の冷却レールによって実施され、この冷却レールの表面において糸は接触状態で案内される。しかしながらこのような冷却レールは、基本的に、糸の十分な冷却を達成するために、比較的長い冷却区間が必要であるという欠点を有している。さらに強い摩擦を回避するためには、可能な限り僅かな巻掛けで、冷却レールの早期の摩耗を阻止する糸ガイドが必要である。
【０００３】
しかしながらまた従来技術において公知の、加熱された糸を冷却する別の装置では、可能な限り短い冷却区間を実現できるようにするために、糸の冷却は、冷却液を用いて実施される。本発明は、このような形式の従来技術から出発している。
【０００４】
このような装置は、例えば欧州特許出願公開第０４０３０９８号明細書（EP 0 403 098 A2）に記載されている。この公知の、加熱された糸を冷却する装置では、冷却体は冷却溝を備えており、この冷却体は、冷却溝の溝底部内に、凹設された複数の溝ポケットを有している。冷却溝は、毛管を介して冷却液リザーバに連結されているので、冷却液は連続的に冷却溝内に収容されている。加熱された糸は、接触状態で冷却溝を通して案内され、冷却液によって冷却される。次いで糸は、後続の冷却レールを介して導かれる。
【０００５】
公知の装置では、冷却体は、比較的短い冷却区間を形成しており、このとき余剰冷却液は、冷却体の終端部において捕集され、かつタンクに戻される。加熱された糸を冷却する、多数のこのような装置から成るテクスチャリング加工機においては、したがって冷却液を捕集しかつ冷却液損失を補充する装置が必要である。特に環境保護に対する要求を考慮すると、加熱された糸を冷却するこのような装置は、従来、確立することはできなかった。また余剰冷却液の再利用は、高い装置コストに結び付いている。
【０００６】
ゆえに本発明の課題は、加熱された糸を冷却するこのような装置を、糸が可能な限り僅かな量の冷却液によって十分に冷却可能であるように改良することである。
【０００７】
したがって本発明の目的はまた、加熱された糸を冷却するこのような装置を、可能な限り僅かな冷却液余剰量しか生じないように改善することである。
【０００８】
この課題は、加熱された糸を冷却する装置によって、冷却溝が、波形溝を付けられた溝底部を備えた複数の案内部分と、平滑な溝底部を備えた少なくとも１つの案内部分とを有しており、複数の案内部と少なくとも１つの案内部分とが、交互に相前後して形成されており、調量開口が、波形溝を付けられた溝底部を備えた案内部分のうちの１つの案内部分に、冷却溝の走入領域において前置されていることによって解決される。
【０００９】
本発明の好適な発展形態は、それぞれの従属請求項の特徴および特徴の組合せによって定義されている。
【００１０】
本発明は、冷却溝の波形溝を付けられた溝底部が冷却溝の走入領域において糸の湿潤を著しく強化するということを認識した。例えば、糸に供給された冷却液の連続的な随伴は、溝底部における波形溝によって阻止される。他方において、溝底部における波形溝は、糸に付着する蒸発しなかった残留冷却液を掻き取るため、かつ冷却溝内に留まらせるために適している。このようにして糸を、比較的長い区間にわたって均一に湿潤させることができるので、得られる冷却効果が強力になる。この冷却効果を糸冷却のために完全に利用できるようにするために、少なくとも１つの案内部分が、平滑な溝底部を備えており、この溝底部において糸は、予め供給された冷却液によって冷却される。したがって冷却溝の異なった案内部分は、最小の冷却液供給による強力な冷却を促進する。
【００１１】
平滑な溝底部を備えた案内部分が、波形溝を付けられた溝底部を備えた案内部分よりも大きな溝深さを有していることによって、冷却溝の内部における冷却効果をさらに改善することができる。糸は、接触状態および非接触状態で冷却溝を通して案内することができる。平滑な溝底部を備えた案内部分においては、糸は接触しないので、冷却液だけが糸の冷却のために作用する。
【００１２】
糸が冷却溝の内部において確実な案内を得るために、案内部分の波形溝を付けられた溝底部はそれぞれ、複数の凹設された溝ポケットと、該溝ポケットの間に位置する複数の案内ウェブとによって形成されている。このように構成されていると、糸は案内ウェブにおける接触状態で冷却溝を貫通走行することができる。
【００１３】
冷却溝の長さは、一般的に、その都度の冷却すべき糸およびその糸番手に関連して選択される。例えば、比較的大きな糸番手を有する糸は、比較的長い冷却溝を必要とする。それぞれの糸型式において効果的な冷却のための本発明に係る作用を得るために、本発明の好適な発展形態では、案内部分はそれぞれ、１０ｍｍ〜６０ｍｍの範囲における、冷却溝の長さ部分を有している。
【００１４】
例えば、大きな糸番手、および相応に長い冷却溝の場合には、平滑な溝底部を備えた複数の案内部分を設けることが通常である。このとき、平滑な溝底部を備えた案内部分はそれぞれ常に、波形溝を付けられた溝底部を備えた案内部分のうちの１つを挟んでいるので、冷却溝においては接触ゾーンと非接触ゾーンとが交互に連続している。
【００１５】
糸が、冷却溝の比較的大きな長さにおいても、冷却溝の溝底部において確実に案内されるようにするために、さらに、冷却溝の案内部分は、溝底部が糸走行方向において３００ｍｍ〜１０００ｍｍの範囲における半径を有する案内曲率を有するように、互いに対して配置されている。このように構成されていると、特にテクスチャリング加工機においては、追加的に摩耗を高めることなしに比較的強い糸変向を達成することができる。
【００１６】
冷却溝の案内部分は、基本的に、一体の冷却体において形成することができる。このような冷却溝を製造するために、しかしながら本発明の好適な発展形態では、冷却溝の案内部分が、冷却体の互いに相前後して配置された複数のセグメントによって形成されており、該セグメントは支持体によって保持されている。このように構成されていると、まとめられたセグメントは、糸案内のために必要な冷却溝を備えた冷却体を生ぜしめる。
【００１７】
このとき特に好適であることが分かっている、本発明の発展形態では、波形溝を付けられた溝底部を備えた案内部分を有する、冷却体のセグメントと、平滑な溝底部を備えた案内部分を有する、冷却体のセグメントとは、互いに異なる材料から形成されている。このように構成されていると、冷却溝における糸接触のために必要なセグメントを、相応に耐摩耗性の材料によって形成することができる。
【００１８】
直接的な機械周囲に対して負荷を加えないようにするために、本発明の特に好適な本発明に係る発展形態では、冷却体は、ハウジングの内部において糸入口と糸出口との間に配置されており、糸出口の領域においてハウジングに、吸込み開口が形成されていて、該吸込み開口は吸込み装置に接続可能である。このように構成されていると、糸の冷却時に発生する蒸気が妨げられずに周囲に流出することが、阻止される。
【００１９】
なお生じ得る残留冷却液をも蒸気と一緒に排出するために、さらに、吸込み開口は、ハウジング底部において冷却体と糸出口との間に形成されている。このように構成されていると、ハウジングからの流出前における自由に案内される糸部分に対して吸込み作用を及ぼすために、吸込み流を好適に利用することができる。
【００２０】
糸を冷却する装置を、可能な限りフレキシブルに機械フレームもしくは糸走路に組み込むことができるようにするために、本発明の好適な発展形態では、ハウジングの糸入口に、入口糸ガイドが対応配置されていて、ハウジングの糸出口に、出口糸ガイドが対応配置されている。このように構成されていると、再現可能な糸ガイドを好適に生ぜしめることができる。繊維機械の内部における冷却体の特別な方向付けは、不要である。
【００２１】
したがって本発明に係る装置は、複数の加工ユニットを備えたテクスチャリング加工機において使用するために、特に適している。各加工ユニットにおいて、本発明に係る装置によって、等しい処理、ひいては均一な冷却を実施することができる。
【００２２】
次に、加熱された糸を冷却する本発明に係る装置を、添付の図面を参照しながら複数の実施形態について詳説する。
【図面の簡単な説明】
【００２３】
【図１】本発明に係る装置の第１実施形態を概略的に示す縦断面図である。
【図２】図２.１は図１に示した実施形態の概略的な横断面図であり、図２.２は図１に示した実施形態の別の概略的な横断面図である。
【図３】本発明に係る装置の別の実施形態を概略的に示す縦断面図である。
【００２４】
図１、図２.１および図２.２には、加熱された糸を冷却する本発明に係る装置の第１実施形態が、複数の図面で概略的に示されている。図１には、本実施形態が縦断面図で示され、図２.１および図２.２には、本実施形態の２つの横断面図が示されている。したがって図面のうちの１つを明瞭に参照しない場合には、以下の記載は両方の図面に対するものである。
【００２５】
本実施形態は、縦長の冷却体１を有している。この冷却体１の上側には、開放した冷却溝２が延びている。冷却溝２は、冷却体１の両端面部に到るまで延びている。したがって冷却溝２は、一方の端面部において糸走入部７を形成し、かつ反対側に位置する端面部において糸走出部８を形成している。
【００２６】
糸を糸走入部７と糸走出部８との間で冷却溝２の内部において案内するために、冷却溝２は、波形溝を付けられた（geriffelt）溝底部４.１を備えた複数の案内部分６.１と、平滑な溝底部４.２を備えた複数の案内部分６.２とを有している。これらの案内部分６.１，６.２は、糸走行方向において冷却溝２内に交互に形成されている。
【００２７】
糸走入部７には、波形溝を付けられた溝底部４.１を備えた第１の案内部分６.１が対応配置されている。第１の案内部分６.１の、波形溝を付けられた溝底部４.１には、走入領域２０が前置されており、この走入領域２０において調量開口３が開口している。調量開口３は、冷却体の内部における調量通路を介して流体管路５.１に接続されている。流体管路５.１は、調量装置５に連結されており、この調量装置５は、調量手段５.２および容器５.３を有している。調量手段５.２は、好ましくは調量ポンプとして形成されており、このとき容器５.３内には冷却液が収容されている。
【００２８】
図１、図２.１および図２.２の図面から分かるように、案内部分６.１，６.２は、それぞれの溝底部４.１，４.２において異なった溝深さを有している。
【００２９】
図２.１には、波形溝を付けられた溝底部４.１を備えた案内部分６.１の横断面が示されている。波形溝を付けられた溝底部４.１は、深く形成されて配置された複数の溝ポケット９と複数の案内ウェブ１０とによって形成され、これらの案内ウェブ１０は、溝ポケット９の間において隆起している。案内ウェブ１０は、符号ｔ１で示された溝深さを有している。溝ポケット９は、冷却体１内に深く形成されていて、図２.１において符号ｔ３で示された比較的大きな溝深さを有している。案内ウェブ１０は、ほんの数ｍｍであるウェブ幅を備えて形成されている。同様に溝ポケットは、数ｍｍの小さな幅を有している。
【００３０】
図２.２には、平滑な溝底部４.２を備えた案内部分６.２の横断面が示されている。平滑な溝底部４.２は、図２.２に符号ｔ２によって示された溝深さを有している。平滑な溝底部４.２の溝深さｔ２は、波形溝を付けられた溝底部４.１の溝深さｔ１よりも幾分大きく形成されている。したがってｔ２＞ｔ１という関係が成り立つ。
【００３１】
図１の図面から分かるように、冷却溝２の案内部分６.１，６.２は互いに、溝底部４.１，４.２が糸走行方向において半径Ｒを有する案内曲率を形成するように配置されている。冷却溝２もしくは冷却体１の長さに関連して、および糸番手に関連して、案内曲率の半径Ｒは、３００ｍｍ〜１０００ｍｍの範囲にある。これによって糸走入部７と糸走出部８との間においては、確実な糸案内が達成される。このとき糸は、波形溝を付けられた溝底部４.１を備えた案内部分６.１においてしか接触して案内されない。平滑な溝底部４.２を備えた案内部分６.２において糸は、接触なしに案内される。これによって糸案内時に冷却溝の内部においては、接触ゾーンと非接触ゾーンとが生じる。
【００３２】
作動中には、調量装置５を介して少量の冷却液が調量されて、糸走入部７の領域において案内部分６.１に供給される。走行する糸によって、冷却液は部分的に直に受け止められ、かつ溝底部４.１の波形溝を付けられた構造を介して分配される。これによって、糸を湿潤させるための比較的長い接触ゾーンが得られる。案内部分６.１はそのために、長さ部分Ｌ１を有しており、この長さ部分Ｌ１は、糸番手に応じて２０ｍｍ〜６０ｍｍの範囲を有している。
【００３３】
冷却溝２のさらなる延在領域において、非接触ゾーン続いており、この非接触ゾーンにおいて糸は、案内部分のうちの１つの案内部分６.２において接触なしに案内される。この案内部分において、塗布された液体は糸を冷却するために作用する。案内部分６.２は同様に、冷却溝２の長さ部分を有しており、この長さ部分は、糸番手に応じて等しい長さを有している。この長さ部分は、図１では符号Ｌ２によって示されていて、１０ｍｍ〜６０ｍｍの範囲にある。
【００３４】
冷却溝２のさらなる延在領域において、波形溝を付けられた溝底部４.１を備えた接触ゾーンと、平滑な溝底部４.２を備えた非接触ゾーンと、波形溝を付けられた溝底部４.１を備えた、糸走出部８に対応配置された別の案内部分６.１とが続いている。波形溝を付けられた溝底部４.１を備えた中央の案内部分６.１は、一方では、余剰冷却液を糸から除去し、かつ同時に湿潤を均一化させ、これによってさらなる冷却を得ることができる。糸走出部８における最後の案内部分６.１において、糸はほぼ、付着する余剰冷却液なしに冷却溝２から導出される。
【００３５】
波形溝を付けられた溝底部４.１と平滑な溝底部４.２とが交互に組み合わせられていることによって、糸の強力な冷却が、最小の冷却液使用量によって達成される。これによって余剰冷却液を好適に回避することができる。
【００３６】
冷却時に発生する蒸気を機械周囲に放出しないようにするために、冷却体は、通常ハウジング内にカプセル化されている。そのために図３には、加熱された糸を冷却する本発明に係る装置の別の実施形態が、縦断面図で概略的に示されている。図３に示された実施形態において、冷却体１は複数のセグメント１１.１〜１１.７によって形成されており、これらのセグメント１１.１〜１１.７は、その表面にそれぞれ、開放した冷却溝２の部分領域を有している。セグメント１１.１〜１１.７は、相前後して配置されていて、支持体１２によって保持されている。このときセグメント１１.１〜１１.７のそれぞれは、波形溝を付けられた溝底部４.１を備えた案内部分６.１、また平滑な溝底部４.２を備えた案内部分６.２を形成している。セグメント１１.１〜１１.７によって形成された案内部分６.１または６.２は、横断面において、図２.１および図２.２に示した実施形態と同一に形成されている。したがって糸は、セグメント１１.１，１１.３，１１.５，１１.７において接触して案内される。セグメント１１.２，１１.４，１１.６は、平滑な溝底部４.２を有しているので、糸はここでは接触なしに案内される。
【００３７】
支持体１２とセグメント１１.１〜１１.７とによって形成された冷却体１は、ハウジング１３の内部に配置されている。ハウジング１３は、冷却体１を取り囲んでおり、このとき冷却体１は、ハウジング１３の内部において糸入口１４と糸出口１５との間に配置されている。本実施形態において糸入口１４は、入口糸ガイド１４.１によって形成され、糸出口１５は出口糸ガイド１５.１によって形成される。基本的に、糸ガイド１４.１，１５.１は、糸入口１４および糸出口１５とは無関係に、ハウジング１３の内部に配置されていても、またはハウジング１３の外部に配置されていてもよい。
【００３８】
本実施形態において入口糸ガイド１４.１および出口糸ガイド１５.１は、冷却体１の端面部に対して短い間隔をもって配置されている。このとき糸ガイド１４.１，１５.１の案内溝は、糸案内のために冷却溝２の溝底部４.１と共働する。
【００３９】
糸出口１５の領域には、ハウジング１３の内部においてハウジング底部１６に吸込み開口１７が形成されている。この吸込み開口１７は、冷却体１の端面部と出口糸ガイド１５.１との間に配置されている。吸込み開口１７は、吸込み管路１８を介して、ここには詳しく示されていない吸込み装置に連結されている。
【００４０】
ハウジング１３は、反対に位置する側において走入領域に、空気開口１９を有している。空気開口１９は、入口糸ガイド１４.１と冷却体１の端面部との間の領域において形成されている。空気開口１９は、ハウジング１３の周囲に対して開口している。
【００４１】
冷却液の供給は、ハウジングの外側に配置された調量装置５によって保証される。調量装置５はそのために、調量手段、例えば調量ポンプと容器５.３とを有しており、この容器５.３は、冷却液によって満たされている。調量手段５.２は、流体管路５.１を介して、冷却体１の第１のセグメント１１.１内において調量通路３.１に接続されている。
【００４２】
作動中、調量装置５は予め確定された量の冷却液を連続的に、調量開口３を介して冷却溝２の走入領域２０内に圧送する。そのために走入領域２０は、第１のセグメント１１.１において案内部分６.１に前置されている。冷却溝２における走入領域２０は、このとき、波形溝を付けられた溝底部４.１に対してほぼ同一の溝深さを有している。
【００４３】
加熱された糸を冷却するために、糸はプロセス開始時にハウジング１３内に挿通される。糸はこのとき、入口糸ガイド１４.１および出口糸ガイド１５.１によって、冷却溝２を通して案内される。糸は、案内部分６.１の、波形溝を付けられた溝底部４.１との接触状態で、冷却溝２を通過走行する。本実施形態では、糸を接触状態で冷却溝２において案内するために、全部で４つのセグメント１１.１，１１.３，１１.５，１１.７が設けられている。このとき糸は、冷却液によって湿潤され、かつ冷却液の蒸発によって冷却される。このときに発生する蒸気は、ハウジング１３内において集められ、吸込み開口１７を介して排出される。このとき連続的な新鮮空気流が、空気開口１９を介してハウジング１３の内部に導入される。糸走行方向においては均一な空気流が発生し、この空気流は、冷却溝２の上側における蒸気の排出を促進する。さらに糸出口側において空気流は、冷却体１と出口糸ガイド１５.１との間において自由に案内される糸部分にルーズに付着する残留冷却液を、糸から吸い取るのに使用される。これによって、ハウジング１３からの残留液の侵出を回避することができる。
【００４４】
加熱された糸を冷却する本発明に係る装置は、互いに並んで位置する複数の加工ユニットを備えたテクスチャリング加工機において使用するために、特に適している。例えば、１つのテクスチャリング加工機において、複数のこのような装置を使用することができる。冷却液による糸の強力な冷却にもかかわらず、テクスチャリング加工機において周囲に対する負荷は発生しない。極めて僅かな残留液量に基づいて、糸の冷却後における冷却液の捕集および再利用（Aufbereiten）は不要である。
【００４５】
図示の実施形態において、冷却溝の異なった案内部分の数は一例である。糸案内のために、冷却溝の少なくとも糸走入部および糸走出部において、波形溝を付けられた溝底部を備えた１つの案内部分が必要になる。このような場合に冷却溝は、平滑な溝底部を備えたただ１つの案内部分だけを中央領域に有することになる。異なった案内部分の長さは、等しく形成されていても、または異なった長さで形成されていてもよい。
【図１】
2018066105.tif 000003
【図２】
2018066105.tif 000004
【図３】
2018066105.tif 000005
【外国語明細書】
2018066105.tif 000006
2018066105.tif 000007
2018066105.tif 000008
2018066105.tif 000009
2018066105.tif 000010
2018066105.tif 000011
2018066105.tif 000012
2018066105.tif 000013
2018066105.tif 000014
2018066105.tif 000015
2018066105.tif 000016
2018066105.tif 000017
2018066105.tif 000018
2018066105.tif 000019
2018066105.tif 000020
2018066105.tif 000021
2018066105.tif 000022
2018066105.tif 000023
2018066105.tif 000024